(57)【要約】【課題】  本発明は鮎釣りや渓流釣り等で使用する長さ調節用仕掛けに係り、釣糸を容易に釣竿に適合した長さに調節することのできる長さ調節用仕掛けを提供することを目的とする。【解決手段】  請求項１に係る長さ調節用仕掛けは、釣糸を折り返してその折り返し端部を該釣糸に移動可能に取り付けると共に、該折り返し端部を取り付けた部位の両側に、目印を取り付けたことを特徴とする。  そして、請求項２に係る発明は、請求項１に記載の長さ調節用仕掛けに於て、前記目印は、釣糸に沿って移動可能に取り付けられていることを特徴とし、請求項３に係る発明は、請求項２に記載の長さ調節用仕掛けに於て、前記目印は、釣糸に繊維束を編み込んで取り付けられていることを特徴とする。【選択図】    図１
2010172211.tif 000002
【特許請求の範囲】
【請求項１】
釣糸を折り返してその折り返し端部を該釣糸に移動可能に取り付けると共に、該折り返し端部を取り付けた部位の両側に、目印を取り付けたことを特徴とする長さ調節用仕掛け。
【請求項２】
前記目印は、釣糸に沿って移動可能に取り付けられていることを特徴とする請求項１に記載の長さ調節用仕掛け。
【請求項３】
前記目印は、釣糸に繊維束を編み込んで取り付けられていることを特徴とする請求項２に記載の長さ調節用仕掛け。
【請求項４】
前記釣糸は、複数の繊維で形成されていることを特徴とする請求項１乃至請求項３のいずれか１項に記載の長さ調節用仕掛け。
【発明の詳細な説明】
【技術分野】
【０００１】
本発明は、鮎釣りや渓流釣り等で使用する長さ調節用仕掛けに関する。
【背景技術】
【０００２】
従来、鮎釣りや渓流釣りは、リールを使用しないで釣竿の竿先に釣糸を取り付けるため、特許文献１に開示されるように、使用する釣竿の長さに応じて釣糸全体の長さを調節できる長さ調節用仕掛けが使用されている。
【０００３】
この種の長さ調節用仕掛けは、主に天井糸と呼ばれる釣竿の竿先側に用いられることが多く、一例として天井糸を折り返し、その折り返し端部を天井糸自体に編み込んだ（編み付けた）構造となっており、編み込みを縮めて編み込み部を移動可能な状態とした後、編み込み位置を天井糸に沿って移動させることによって長さ調節ができ、天井糸に沿って編み込み部をならす（引き延ばす）と、編み込み部が天井糸に係止された状態となって長さ調節が完了する。
【０００４】
従って、長さ調節用仕掛けの折り返し部分を長くすれば、釣糸全体の長さを短く調節することができ、折り返し部分を短くすれば、釣糸全体の長さを長く調節することができる。
【発明の概要】
【発明が解決しようとする課題】
【０００５】
このように、長さ調節用仕掛けを用いて釣糸全体の長さを調節するときは、編み込み部の編み込みを縮めて編み込み位置を移動させて行うが、どの程度移動させればよいのか分からないため、釣竿を伸ばして釣糸を取り付け、編み込み位置を少しずつ移動させては釣竿との長さ具合を見て、何度も確認し乍ら手頃の長さになるまで目分量で調節作業を行っていた。
【０００６】
また、釣竿に取り付けなければ釣竿に適合した長さになったかどうかが分からないため、釣りに出かける前に例えば家で調節を済ませておくことが難しく、釣場に着いてから長さ調節をしなければならず、直ぐに釣りを始められないのが実情であった。
【０００７】
本発明は斯かる実情に鑑み案出されたもので、釣りに出かける前に家に於ても、また、釣場に於ても、釣糸を容易に釣竿に適合した長さに調節することのできる長さ調節用仕掛けを提供することを目的とする。
【課題を解決するための手段】
【０００８】
斯かる目的を達成するため、請求項１に係る長さ調節用仕掛けは、釣糸を折り返してその折り返し端部を該釣糸に移動可能に取り付けると共に、該折り返し端部を取り付けた部位の両側に、目印を取り付けたことを特徴とする。
【０００９】
そして、請求項２に係る発明は、請求項１に記載の長さ調節用仕掛けに於て、前記目印は、釣糸に沿って移動可能に取り付けられていることを特徴とし、請求項３に係る発明は、請求項２に記載の長さ調節用仕掛けに於て、前記目印は、釣糸に繊維束を編み込んで取り付けられていることを特徴とする。
【００１０】
更に、請求項４に係る発明は、請求項１乃至請求項３のいずれか１項に記載の長さ調節用仕掛けに於て、前記釣糸は、複数の繊維で形成されていることを特徴とする。
【発明の効果】
【００１１】
請求項１に係る長さ調節用仕掛けを用いることで、釣りに出かける前に家に於ても、また、釣場に於ても、釣糸を釣竿に適合した長さに容易に調節することが可能となり、釣場に於て、直ぐに釣りを始めることが可能となった。
【００１２】
そして、請求項２及び請求項３に係る発明によれば、目印が移動可能であるから、目印の取付位置を適宜変更することで幅広い釣糸の長さ調節が可能であり、請求項４に係る発明によれば、釣糸が複数の繊維で形成されて表面に凹凸が形成されているため、目印が釣糸に対してずれ難く、この結果、目印を長さ調節用仕掛けに確実に固定できる利点を有する。
【図面の簡単な説明】
【００１３】
【図１】請求項１乃至請求項４の一実施形態に係る長さ調節用仕掛けを釣糸に取り付けた鮎釣り用の釣竿の正面図である。
【図２】目印の拡大正面図である。
【図３】編み込み部の側面図である。
【図４】請求項１乃至請求項４の一実施形態に係る長さ調節用仕掛けを釣糸に取り付けた渓流釣り用の釣竿の正面図である。
【発明を実施するための形態】
【００１４】
以下、本発明の実施形態を図面に基づいて説明する。
【００１５】
図１(a)，(b)は、請求項１乃至請求項４の一実施形態に係る長さ調節用仕掛けを釣糸に取り付けた鮎釣り用の釣竿を示し、図１(a)，図１(b)は同じ長さの釣竿１に、長さ調節用仕掛け３を用いて釣糸５全体の長さを調節した状態を示している。
【００１６】
釣糸５は、釣竿１の竿先側に取り付けられた天井糸７と、リング９が取り付く連結部材（リリアン）１１を介して天井糸７に連結された道糸１３と、連結具１５を介して道糸１３に連結されたハナカン仕掛け１７とからなり、ハナカン仕掛け１７にハナカン１９や逆針２１が取り付けられている。
【００１７】
而して、前記天井糸７は、１本のナイロン製のフィラメントからなる竿先側のモノフィラメント（釣糸）２３と、図２の如く数本の高分子量ポリエチレン製のフィラメント２５を撚り合わせて形成（複数の繊維で形成）されたマルチフィラメント（釣糸）２７とからなり、これらは連結具２９で連結されている。
【００１８】
そして、本実施形態に係る長さ調節用仕掛け３は、前記マルチフィラメント２７で形成されて、前記モノフィラメント２３と共に天井糸７を構成している。
【００１９】
図１及び図２に示すように長さ調節用仕掛け３は、従来と同様、マルチフィラメント２７を折り返し、その折り返し端部３１側をマルチフィラメント２７自体に編み込んで（編み付けて）編み込み部３３を設けた構造となっており、本実施形態では、前記リング９に折り返し端部３１を挿通させて連結部材１１に連結させている。
【００２０】
そして、編み込みを縮めて編み込み部３３を移動可能な状態とした後、編み込み位置をマルチフィラメント２７に沿って移動させることによって釣糸５全体の長さ調節ができ、図１(a)の如く長さ調節用仕掛け３の折り返し部分３５を長くすれば、釣糸５全体の長さが短くなり、また、図１(b)の如く折り返し部分３５を短くすれば、釣糸５全体を長くすることができる。そして、従来と同様、マルチフィラメント２７に沿って編み込み部３３をならす（引き延ばす）と、編み込み部３３がマルチフィラメント２７に係止された状態となって、釣糸５の長さ調節が完了する。
【００２１】
更に、図１に示すように本実施形態に係る長さ調節用仕掛け３は、上述の如き構成に加え、折り返し端部３１を編み込んで編み込み部３３を形成した部位の両側、即ち、移動可能な編み込み部３３を挟んでその上側と下側とに、夫々、目印３７，３９を移動可能に取り付けたことを特徴とする。
【００２２】
図３は目印３７，３９の詳細を示し、図示するように目印３７，３９は、一例としてナイロン，ポリプロピレン等の合成樹脂や羊毛等の天然材料からなる繊維束４１をマルチフィラメント２７に編み込んで（編み付けて）取り付けたもので、前記編み込み部３３と同様、二点鎖線で示すように目印３７，３９の編み込みを例えば親指Ｔと人差し指Ｆとで縮めると、マルチフィラメント２７に対して目印３７，３９が移動可能な状態となり、そして、実線で示すように編み込みをならす（引き延ばす）と、目印３７，３９がマルチフィラメント２７に係止されるようになっている。
【００２３】
目印３７，３９を形成する繊維は目印３７，３９の長手方向に連続して配されているが、繊維は蛇行状に形成されて互いに絡み合っている。
【００２４】
尚、図１(a)及び図１(b)に示すように下側の目印３９は、リング９への折り返し部分よりも反折り返し端部３１側に配置させておくことが好ましい。
【００２５】
そして、例えば図１(a)の如く長さ調節用仕掛け３の折り返し部分３５を長くすると、上側の目印３７が編み込み部３３に接近し、図１(b)の如く長さ調節用仕掛け３の折り返し部分３５を短くすると、下側の目印３９が編み込み部３３に接近するが、一例として図１(a)の如く上側の目印３７が編み込み部３３に接近したとき、釣糸５全体が８ｍの長さの釣竿１に適合し、図１(b)の如く下側の目印３９が編み込み部３３に接近したとき、釣糸５全体が９ｍの長さの釣竿に適合するようになっている。
【００２６】
従って、斯様に折り返し部分３５の長さ（目印３７と目印３９の間の長さ）を２ｍ（この部分のマルチフィラメント２７の長さは往復で４ｍ）となるように目印３７，３９の位置を設定しておくことで、長さ調節用仕掛け３を用いて１ｍ幅での釣糸５の長さ調節が可能となる。
【００２７】
また、図示しないが、既述した操作により、一例として上側の目印３７を更に１ｍ上方へ移動して固定しておけば、図１(a)の如く上側の目印３７が編み込み部３３に接近したとき、折り返し部分３５が５０ｃｍ延びて釣糸５全体が５０ｃｍ短くなるため、７．５ｍの長さの釣竿に適合することとなる。この結果、長さ調節用仕掛け３を用いて１．５ｍ幅の釣糸５の長さ調節が可能となる。
【００２８】
そして、長さ調節用仕掛け３は、数本の高分子量ポリエチレン製のフィラメント２５を撚り合わせたマルチフィラメント（釣糸）２７で形成されて表面に凹凸が形成されているため、目印３７，３９がマルチフィラメント（釣糸）２７に対してずれ難く、目印３７，３９が確実に固定される。
【００２９】
本実施形態はこのように構成されているから、一例として図１(a)の如く上側の目印３７が編み込み部３３に接近したとき、釣糸５全体が８ｍの長さの釣竿１に適合し、図１(b)の如く下側の目印３９が編み込み部３３に接近したとき、釣糸５全体が９ｍの長さの釣竿に適合するように目印３７，３９を長さ調節用仕掛け３に固定しておけば、例えば、翌日の釣りに８ｍの長さの釣竿１を使用する場合、家で釣竿１に結ばれていない釣糸５を取り出し、編み込みを縮め、編み込み部３３を移動させて図１(a)の如く上側の目印３７を編み込み部３３に接近させた後、 編み込み部３３をならせば（引き延ばせば）、編み込み部３３が係止されて釣糸５の長さ調節が完了し、釣糸５全体が８ｍの長さの釣竿１に適合する。
【００３０】
従って、翌日の釣りでは、長さ調節の済んでいる釣糸５を釣竿１に取り付けて直ぐに釣りが開始できる。
【００３１】
また、上述の如く予め家で釣糸５の長さ調節を済ませておかなくても、例えば釣場で釣糸５を８ｍの長さの釣竿１に取り付け、同様に編み込み部３３の編み込みを縮め、編み込み部３３を移動させて図１(a)の如く上側の目印３７を編み込み部３３に接近させた後、 編み込み部３３をならせば（引き延ばせば）、編み込み部３３が係止されて釣糸５の長さ調節が完了し、釣糸５全体が８ｍの長さの釣竿１に速やかに適合する。
【００３２】
更にまた、釣りをしているときに、例えば釣りのポイントに応じて釣糸５全体の長さを少し長めに調節したい場合には、編み込み部３３の編み込みを縮め、編み込み部３３を移動させて長さ調節用仕掛け３の折り返し部分３５を短くすれば、釣糸５全体を長くすることができ、この場合、目印３７，３９の移動量からどの程度釣糸５を長さ調節したのかが容易に把握できる。
【００３３】
同様に、釣竿を交換して釣糸５を付け直す場合にも、既述した手順で釣糸５の長さ調節をすればよく、釣糸５全体が交換した長さの釣竿に速やかに適合する。
【００３４】
従って、既述したように従来の長さ調節用仕掛けを用いて釣糸の長さを調節する場合には、編み込み部の編み込み位置を少しずつ移動させては釣竿との長さ具合を見て、何度も確認し乍ら手頃の長さになるまで目分量で調節作業を行い、また、釣竿に取り付けなければ釣竿に適合した長さになったかどうかが分からないため、釣りに出かける前に家で調節を済ませておくことが難しく、釣場に着いてから長さ調節をしなければならなかったが、本実施形態に係る長さ調節用仕掛け３を用いることで、釣りに出かける前に家に於ても、また、釣場に於ても、釣糸５を釣竿に適合した長さに容易に調節することが可能となり、直ぐに釣りを始めることが可能となった。
【００３５】
また、目印３７，３９は移動可能であるから、目印３７，３９の取付位置を適宜変更することで幅広い釣糸の長さ調節が可能であると共に、長さ調節用仕掛け３は、数本の高分子量ポリエチレン製のフィラメント２５を撚り合わせたマルチフィラメント（釣糸）２７で形成されて表面に凹凸が形成されているため、目印３７，３９がマルチフィラメント２７に対してずれ難く、この結果、目印３７，３９のずれをなくし、目印３７，３９を長さ調節用仕掛け３に確実に固定できる利点を有する。
【００３６】
尚、前記実施形態は、鮎釣り用の釣竿１に取り付ける釣糸５に長さ調節用仕掛け３を適用したが、図４に示す渓流釣り用の釣竿４３に取り付ける釣糸４５に長さ調節用仕掛け３を用いることも可能である。
【００３７】
即ち、図４に示すように渓流釣り用の釣竿４３の釣糸４５には、前記ハナカン仕掛け１７に代え、重り４７を介してハリス４９が道糸１３に接続されているが、釣竿４３の竿先側に結ぶ天井糸７に前記長さ調節用仕掛け３を用いることで、前記実施形態と同様、所期の目的を達成することが可能で、釣りに出かける前に家に於ても、また、釣場に於ても、釣糸４５を釣竿に適合した長さに容易に調節することが可能である。
【符号の説明】
【００３８】
１，４３  釣竿
３  長さ調節用仕掛け
５，４５  釣糸
７  天井糸
９  リング
１１  連結部材（リリアン）
１３  道糸
１７  ハナカン仕掛け
１９  ハナカン
２３  モノフィラメント（釣糸）
２７  マルチフィラメント（釣糸）
２９  連結部材
３１  折り返し端部
３３  編み込み部
３５  折り返し部分
３７，３９  目印
４１  繊維束
４７  重り
４９  ハリス
【先行技術文献】
【特許文献】
【００３９】
【特許文献１】実開平１−１３７１６２号公報
【図１】
2010172211.tif 000003
【図２】
2010172211.tif 000004
【図３】
2010172211.tif 000005
【図４】
2010172211.tif 000006